(57)【要約】【課題】表示画面に表示される情報を好適に視認するとともに、掴持性及び操作性を向上させる。【解決手段】撮像装置１００は、画像及び各種動作の実行を指示しない単純情報を表示画面に表示する表示パネル３２と、表示画面に設けられ、操作者の手の接触位置を検出するタッチパネル４４と、タッチパネルにより操作者の手の接触位置が検出されると、表示画面の接触位置に表示される単純情報を当該接触位置と異なる位置に移動させて表示させるＣＰＵ６１とを備えている。【選択図】図１
2008176448.tif 000002
【特許請求の範囲】
【請求項１】
表示画面に画像を表示する画像表示手段と、
前記表示画面に各種動作の実行を指示しない非動作実行指示情報を表示する情報表示手段と、
前記表示画面に設けられ、操作者の手の接触位置を検出する接触位置検出手段と、
前記接触位置検出手段により前記接触位置が検出された場合に、前記情報表示手段により前記表示画面の前記接触位置に表示される前記非動作実行指示情報を当該接触位置と異なる位置に移動させて表示させる移動表示制御手段と、
を備えることを特徴とする画像表示装置。
【請求項２】
前記接触位置検出手段により前記接触位置が検出された場合に、前記画像表示手段により前記表示画面に表示される画像を縮小表示させる縮小表示制御手段を備え、
前記移動表示制御手段は、前記縮小表示制御手段により縮小表示される画像と重ならない位置に前記非動作実行指示情報を移動させることを特徴とする請求項１に記載の画像表示装置。
【請求項３】
前記移動表示制御手段により移動される前記非動作実行指示情報の情報量を特定する情報量特定手段と、
前記情報量特定手段により特定された前記情報量に基づいて、前記移動表示制御手段による前記非動作実行指示情報の移動位置にて当該前記非動作実行指示情報を一度に表示することができるか否かを判定する表示判定手段と、
前記表示判定手段により前記非動作実行指示情報を一度に表示することができないと判定された場合に、前記移動位置にて前記非動作実行指示情報をスクロール表示するスクロール表示制御手段とを備えることを特徴とする請求項１又は２に記載の画像表示装置。
【請求項４】
表示画面に画像を表示する画像表示手段と、前記表示画面に各種動作の実行を指示しない非動作実行指示情報を表示する情報表示手段とを備える画像表示装置を用いた画像表示方法であって、
前記表示画面における操作者の手の接触位置を検出するステップと、
前記接触位置が検出された場合に、前記情報表示手段により前記表示画面の前記接触位置に表示される前記非動作実行指示情報を当該接触位置と異なる位置に移動させて表示させるステップと、
を備えることを特徴とする画像表示方法。
【発明の詳細な説明】
【技術分野】
【０００１】
本発明は、撮像画像や再生画像等を表示する画像表示装置及び画像表示方法に関する。
【背景技術】
【０００２】
従来、デジタルカメラ等の撮像装置の背面側には、ＬＣＤパネル等の表示装置が設けられている。この表示装置は、被写体の撮像の際に画像を表示したり、撮像済みの画像を再生表示する（例えば、特許文献１参照）。
ところで、近年、撮像装置は急速に小型化が進んでおり、さらなる小型化が要求されているのに対して、表示装置は表示画像をより見易くするためにより大きな表示画面を具備するものが望まれている。特に、操作手段として操作者の指が接触した位置を検出するタッチパネルが表示装置と一体となって設けられたものの場合、表示画面が撮像装置の背面の略全面に亘って設けられているものもある。
【０００３】
また、表示装置の表示画面には、当該撮像装置の操作目的のために各種動作の実行を指示する操作項目ではなく、ＩＳＯ感度、絞り値（Ｆ値）、シャッター速度、フラッシュ条件等の撮像条件、撮像記録可能枚数、記録日時、バッテリー残量等の単なる単純情報が画像に重畳して表示されるものもある。
【特許文献１】特開平１１−２８９４８４号公報
【発明の開示】
【発明が解決しようとする課題】
【０００４】
ところで、表示装置が大型化すると、当該撮像装置を操作者が操作する際に掴む部分が小さくなるため、操作者の手が誤って表示画面上に接触してしまう虞がある。この場合、操作者の手により表示画面上に表示される単純情報が隠されてしまい、当該情報を視認することが困難となってしまう。
【０００５】
そこで、本発明の課題は、表示画面に表示される情報を好適に視認することができるとともに、掴持性及び操作性を向上させることができる画像表示装置及び画像表示方法を提供することである。
【課題を解決するための手段】
【０００６】
請求項１に記載の発明の画像表示装置（例えば、図１の撮像装置１００等）は、
表示画面（例えば、図２の表示画面３ａ等）に画像を表示する画像表示手段（例えば、図１の表示パネル３２等）と、
前記表示画面に各種動作の実行を指示しない非動作実行指示情報（例えば、図２の単純情報ｉ）を表示する情報表示手段（例えば、図１の表示パネル３２等）と、
前記表示画面に設けられ、操作者の手の接触位置を検出する接触位置検出手段（例えば、図１のタッチパネル４４等）と、
前記接触位置検出手段により前記接触位置が検出された場合に、前記情報表示手段により前記表示画面の前記接触位置に表示される前記非動作実行指示情報を当該接触位置と異なる位置に移動させて表示させる移動表示制御手段（例えば、図１のＣＰＵ６１等）と、
を備えることを特徴としている。
【０００７】
ここで、非動作実行指示情報とは、画像表示装置の操作目的のために各種動作の実行を指示する選択項目などではなく、操作者により認識されるために単に表示される情報のことである。この非動作実行指示情報としては、例えば、ＩＳＯ感度、絞り値（Ｆ値）、シャッター速度、フラッシュ条件等の撮像条件、撮像記録可能枚数、記録日時、バッテリー残量等の情報が挙げられる。
【０００８】
請求項２に記載の発明は、請求項１に記載の画像表示装置において、
前記接触位置検出手段により前記接触位置が検出された場合に、前記画像表示手段により前記表示画面に表示される画像を縮小表示させる縮小表示制御手段（例えば、図５のＣＰＵ６１等）を備え、
前記移動表示制御手段は、前記縮小表示制御手段により縮小表示される画像と重ならない位置に前記非動作実行指示情報を移動させることを特徴としている。
【０００９】
請求項３に記載の発明は、請求項１又は２に記載の画像表示装置において、
前記移動表示制御手段により移動される前記非動作実行指示情報の情報量を特定する情報量特定手段（例えば、図５のＣＰＵ６１等）と、
前記情報量特定手段により特定された前記情報量に基づいて、前記移動表示制御手段による前記非動作実行指示情報の移動位置にて当該前記非動作実行指示情報を一度に表示することができるか否かを判定する表示判定手段（例えば、図５のＣＰＵ６１等）と、
前記表示判定手段により前記非動作実行指示情報を一度に表示することができないと判定された場合に、前記移動位置にて前記非動作実行指示情報をスクロール表示するスクロール表示制御手段（例えば、図５のＣＰＵ６１等）とを備えることを特徴としている。
【００１０】
請求項４に記載の発明は、
表示画面（例えば、図２の表示画面３ａ等）に画像を表示する画像表示手段（例えば、図１の表示パネル３２等）と、前記表示画面に各種動作の実行を指示しない非動作実行指示情報（例えば、図２の単純情報ｉ）を表示する情報表示手段（例えば、図１の表示パネル３２等）とを備える画像表示装置（例えば、図１の撮像装置１００等）を用いた画像表示方法であって、
前記表示画面における操作者の手の接触位置を検出するステップと、
前記接触位置が検出された場合に、前記情報表示手段により前記表示画面の前記接触位置に表示される前記非動作実行指示情報を当該接触位置と異なる位置に移動させて表示させるステップと、
を備えることを特徴としている。
【発明の効果】
【００１１】
本発明によれば、操作者の手により非動作実行指示情報が隠れた状態とならずに、操作者が表示画面に表示される情報を好適に視認することができる。また、表示画面が拡大しても当該表示画面に接するように掴むこともでき、当該画像表示装置の掴持性及び操作性を向上させることができる。
【発明を実施するための最良の形態】
【００１２】
以下に、本発明について、図面を用いて具体的な態様を説明する。ただし、発明の範囲は、図示例に限定されない。
図１は、本発明を適用した一実施形態の撮像装置１００の概略構成を示すブロック図であり、図２は、撮像装置１００を示す背面図である。
【００１３】
本実施形態の撮像装置（画像表示装置）１００は、表示画面３ａに操作者の手が接触した場合に、タッチパネル４４により手の接触位置（例えば、領域Ａ；図３参照）を検出して、当該接触位置に表示される情報を操作者の手と重ならない位置に移動させて表示させるものである。
具体的には、撮像装置１００は、例えば、図１及び図２に示すように、撮像部１と、撮像補助部２と、表示部３、操作部４と、記録媒体５と、制御部６等を備えて構成されている。
【００１４】
撮像部１は、被写体を撮像するものである。具体的には、撮像部１は、例えば、撮像レンズ群１１と、電子撮像部１２と、映像信号処理部１３と、画像メモリ１４と、撮影制御部１５等を備えている。
【００１５】
撮像レンズ群１１は、例えば、フォーカス機能及びズーム機能を有し、複数の撮像レンズから構成されている。
電子撮像部１２は、撮像レンズ群１１を通過した被写体像を二次元の画像信号に変換するＣＣＤ（Charge Coupled Device）やＣＭＯＳ（Complementary Metal-oxide Semiconductor）等から構成されている。
映像信号処理部１３は、電子撮像部１２から出力される画像信号に対して所定の画像処理を施すものである。
画像メモリ１４は、画像処理後の画像信号を一時的に記憶する。
撮影制御部１５は、ＣＰＵ６１の制御下にて、電子撮像部１２及び映像信号処理部１３を制御する。
【００１６】
撮像補助部２は、撮像部１による被写体の撮像の際に駆動するものであり、例えば、フォーカス駆動部２１と、ズーム駆動部２２等を備えている。
【００１７】
フォーカス駆動部２１は、撮像レンズ群１１に接続されたフォーカス機構部（図示略）を駆動させる。
ズーム駆動部２２は、撮像レンズ群１１に接続されたズーム機構部（図示略）を駆動させる。
なお、フォーカス駆動部２１及びズーム駆動部２２は、撮影制御部１５に接続され、撮影制御部１５の制御下にて駆動する。
【００１８】
表示部３は、撮像部１により撮像された画像を表示するものであり、表示画面３ａを撮像装置１００の背面側から露出させるように配設されている。また、表示部３は、例えば、表示制御部３１と、表示パネル３２等を備えている。
【００１９】
表示制御部３１は、ＣＰＵ６１から適宜出力される表示データを一時的に保存するビデオメモリ（ＶＲＡＭ；図示略）を備えている。
【００２０】
表示パネル３２は、表示制御部３１からの出力信号に基づいて所定の画像や情報を表示する。
即ち、表示パネル３２は、撮像部１により撮像されるプレビュー画像や記録媒体５に記録される本画像、既に記録媒体５に記録されている画像を再生する際の再生画像等を表示画面３ａに表示する（図２参照）。
ここで、表示パネル３２は、画像表示手段を構成している。
【００２１】
また、表示パネル３２は、当該撮影装置１００の操作目的のために各種動作の実行を指示する選択項目などではなく、操作者により認識されるために単に表示される情報としての単純情報（非動作実行指示情報）ｉを表示する。具体的には、表示パネル３２は、プログラムメモリ６３ａに記憶されているＯＳＤ表示情報ｄ１に基づいて、単純情報ｉを表示画面３ａにＯＳＤ（On Screen Display）表示する（図２参照）。
単純情報ｉとしては、例えば、ＩＳＯ感度、絞り値（Ｆ値）、シャッター速度、フラッシュ条件等の撮像条件、撮像記録可能枚数、記録日時、バッテリー残量等の情報が挙げられる。
ここで、表示パネル３２は、情報表示手段を構成している。
【００２２】
操作部４は、当該撮像装置１００の所定操作を行うためのものであり、例えば、図２に示すように、シャッターボタン４１、ズームボタン４２、情報表示指示ボタン４３等の各種操作ボタンと、タッチパネル４４と、入力回路（図示略）等を備えている。
【００２３】
シャッターボタン４１は、例えば、撮像装置１００の上面側に設けられ、撮像部１による被写体の撮像を指示する。
ズームボタン４２は、例えば、撮像装置１００の背面側に設けられ、ワイド側又はテレ側にズームを変更する。
情報表示指示ボタン４３は、例えば、撮像装置１００の背面側に設けられ、表示画面３ａにおける単純情報ｉの表示のＯＮ／ＯＦＦ切替えを指示する。
【００２４】
タッチパネル４４は、表示部３と一体となって設けられ、表示画面３ａに接触する操作者の手の接触位置を検出する。即ち、タッチパネル４４は、例えば、表示画面３ａ上或いは表示画面３ａよりも内側に設けられ、抵抗膜方式、超音波表面弾性波方式、静電容量方式等の方式により、表示画面３ａ上における接触位置のＸＹ座標を検出する。そして、タッチパネル４４は、接触位置のＸＹ座標に係る位置信号を入力回路に出力する。
ここで、タッチパネル４４は、接触位置検出手段を構成している。
【００２５】
入力回路は、例えば、各種操作ボタンから出力され入力された操作信号やタッチパネル４４から出力され入力された位置信号をＣＰＵ６１に入力する。
【００２６】
記録媒体５は、撮像された画像を記録するものであり、例えば、カード型の不揮発性メモリ（フラッシュメモリ）やハードディスク等により構成されている。
【００２７】
制御部６は、撮像装置１００の各部を制御するものであり、例えば、ＣＰＵ６１と、データメモリ６２と、プログラムメモリ６３と等を備えている。
【００２８】
ＣＰＵ６１は、プログラムメモリ６３に記憶された撮像装置１００用の各種処理プログラムに従って各種の制御動作を行うものである。
【００２９】
データメモリ６２は、画像データ記憶用のメモリであり、例えば、フラッシュメモリ等により構成されている。
【００３０】
プログラムメモリ６３は、ＣＰＵ６１の動作に必要な各種プログラムやデータを記憶するものであり、具体的には、例えば、移動表示プログラム６３ａ、ＯＳＤ表示情報ｄ１等を記憶している。
【００３１】
移動表示プログラム６３ａは、ＣＰＵ６１を移動表示制御手段として機能させるものである。即ち、移動表示プログラム６３ａは、タッチパネル４４により操作者の手の接触位置が検出された場合に、表示パネル３２により表示画面３ａの接触位置に表示される単純情報ｉを操作者の手と重ならない位置（接触位置と異なる位置）に移動させ表示させる移動表示処理に係る機能をＣＰＵ６１に実現させるためのプログラムである。
具体的には、通常状態で、表示画面３ａの右端に表示されるＩＳＯ感度、Ｆ値、シャッター速度等の単純情報ｉに操作者の手が接触すると、ＣＰＵ６１による移動表示プログラム６３ａの実行に基づいて、表示画面３ａの接触位置に表示される単純情報ｉをタッチパネル４４により操作者の手の接触が検出されない位置に、即ち、操作者の手と重ならないように所定ドット数より中央側に移動させて表示パネル３２に表示させる（図３参照）。
なお、図３にあっては、操作者の手（指）が接触する位置を領域Ａとして模式的に表している。
【００３２】
ＯＳＤ表示情報ｄ１は、例えば、表示パネル３２が表示画面３ａに単純情報ｉをＯＳＤ表示するための情報である。
【００３３】
次に、移動表示処理について図４を参照して説明する。
ここで、図４は、移動表示処理に係る動作の一例を示すフローチャートである。
【００３４】
先ず、撮像装置１００の電源投入後、操作者による操作部４の所定操作に基づいて撮像モードに設定されると、撮像部１による被写体の撮像が開始され、表示パネル３２は、表示制御部３１からの出力信号に基づいて被写体画像を表示する（ステップＳ１）。
そして、操作者による情報表示指示ボタン４３の所定操作に基づいて単純情報ｉの表示が指示されると、表示パネル３２は、例えば、撮像条件、撮像記録可能枚数、記録日時、バッテリー残量等の単純情報ｉを表示する（ステップＳ２；図２参照）。
【００３５】
ここで、表示画面３ａに操作者の手が接触して、タッチパネル４４が操作者の手の接触位置を検出すると、当該接触位置のＸＹ座標に係る位置信号を出力する（ステップＳ３；ＹＥＳ）。
そして、タッチパネル４４から出力された位置信号が入力回路を介してＣＰＵ６１に入力されると、ＣＰＵ６１は、プログラムメモリ６３から移動表示プログラム６３ａを読み出して実行して、表示画面３ａの接触位置に表示される単純情報ｉ（例えば、ＩＳＯ感度、Ｆ値、シャッター速度等）を操作者の手と重ならないようにより中央側に移動させて表示パネル３２に表示させる（ステップＳ４；図３参照）。
【００３６】
なお、ステップＳ３にて、タッチパネル４４により操作者の手の接触位置が検出されない場合には（ステップＳ３；ＮＯ）、表示パネル３２は、被写体画像及び単純情報ｉの表示を継続する。
【００３７】
以上のように、本実施形態の撮像装置１００によれば、表示画面３ａの操作者の手の接触位置に表示される単純情報ｉを接触位置と異なる位置に移動させることができ、単純情報ｉが操作者の手により隠されてしまうといったことがなくなって、操作者が表示画面３ａに表示される単純情報ｉを好適に視認することができる。
また、タッチパネル４４の搭載により表示画面３ａが拡大しても、当該表示画面３ａに接するように掴むこともできることとなって、当該撮像装置１００の掴持性及び操作性を向上させることができる。
【００３８】
なお、本発明は、上記実施形態に限定されることなく、本発明の趣旨を逸脱しない範囲において、種々の改良並びに設計の変更を行っても良い。
以下に、撮像装置の変形例について図５〜図７を参照して説明する。
ここで、図５は、変形例１の撮像装置２００の概略構成を示すブロック図であり、図６は、撮像装置２００による移動表示処理後の状態を模式的に示す背面図である。
【００３９】
＜変形例１＞
変形例１の撮像装置２００は、タッチパネル４４により操作者の手の接触位置が検出された場合に、表示画面３ａに表示される画像を縮小表示させ、縮小表示される画像と重ならない位置に単純情報ｉを移動させて表示パネル３２に表示させる。
即ち、図５に示すように、撮像装置２００のプログラムメモリ２６３には、縮小表示プログラム６３ｂ、情報量特定プログラム６３ｃ、表示判定プログラム６３ｄ、スクロール表示プログラム６３ｅ等が記憶されている。
【００４０】
縮小表示プログラム６３ｂは、ＣＰＵ６１を縮小表示制御手段として機能させるものである。即ち、縮小表示プログラム６３ｂは、タッチパネル４４により操作者の手の接触位置が検出された場合に、表示画面３ａに表示される画像の縦及び横の寸法を縮小して表示パネル３２に表示させる縮小表示処理に係る機能をＣＰＵ６１に実現させるためのプログラムである。
具体的には、ＣＰＵ６１による縮小表示プログラム６３ｂの実行に基づいて、撮影画像や再生画像の縦横それぞれの寸法を所定の比率で縮小して、当該縮小画像を表示画面３ａの右下を基準として表示パネル３２に表示させる。これにより、縮小画像の上側及び左側に単純情報ｉを表示可能な領域が空けられた状態となる（図６参照）。
【００４１】
情報量特定プログラム６３ｃは、ＣＰＵ６１を情報量特定手段として機能させるものである。即ち、情報量特定プログラム６３ｃは、移動表示処理により移動される単純情報ｉの情報量を特定する情報量特定処理に係る機能をＣＰＵ６１に実現させるためのプログラムである。
具体的には、ＣＰＵ６１による情報量特定プログラム６３ｃの実行に基づいて、プログラムメモリ２６３からＯＳＤ表示情報ｄ１を取得して、移動表示処理に係る単純情報ｉのフォントサイズや表示画面３ａにおける実際の長さ等を特定する。
【００４２】
表示判定プログラム６３ｄは、ＣＰＵ６１を表示判定手段として機能させるものである。即ち、表示判定プログラム６３ｄは、情報量特定処理により特定された単純情報ｉの情報量に基づいて、移動表示処理による単純情報ｉの移動後の表示位置にて当該単純情報ｉを一度に表示することができるか否かを判定する表示判定処理に係る機能をＣＰＵ６１に実現させるためのプログラムである。
具体的には、ＣＰＵ６１による表示判定プログラム６３ｄの実行に基づいて、例えば、縮小画像の上側に空けられた単純情報ｉの表示可能領域と単純情報ｉの情報量（表示画面３ａにおける実際の長さ）から単純情報ｉを一度に表示することができるか否かを判定する。
【００４３】
スクロール表示プログラム６３ｅは、ＣＰＵ６１をスクロール表示制御手段として機能させるものである。即ち、スクロール表示プログラム６３ｅは、表示判定処理にて単純情報ｉを一度に表示することができないと判定された場合に、当該単純情報ｉの移動後の表示位置にて単純情報ｉをスクロール表示するスクロール表示処理に係る機能をＣＰＵ６１に実現させるためのプログラムである。
具体的には、ＣＰＵ６１によるスクロール表示プログラム６３ｅの実行に基づいて、単純情報ｉを所定方向（例えば、右から左や、上から下等）にスクロール表示する。
【００４４】
以下に、図７を参照して移動表示処理について説明する。
ここで、図７は、移動表示処理に係る動作の一例を示すフローチャートである。
【００４５】
表示画面３ａに被写体画像及び所定の単純情報ｉが表示された状態で（図２参照）、表示画面３ａに操作者の手が接触して、タッチパネル４４が操作者の手の接触位置を検出すると、当該接触位置のＸＹ座標に係る位置信号を出力する（ステップＳ３；ＹＥＳ）。
そして、タッチパネル４４から出力された位置信号が入力回路を介してＣＰＵ６１に入力されると、ＣＰＵ６１は、プログラムメモリ２６３から縮小表示プログラム６３ｂを読み出して実行して、表示画面３ａに表示される画像の縦×横の寸法を縮小して表示パネル３２に表示させる縮小表示処理を実行する（ステップＳ２１）。
【００４６】
続けて、ＣＰＵ６１は、プログラムメモリ２６３から移動表示プログラム６３ａを読み出して実行して、単純情報ｉ（例えば、ＩＳＯ感度、Ｆ値、シャッター速度等）を縮小表示される画像と重ならない位置、即ち、縮小画像の上側に空けられた単純情報ｉの表示可能領域に単純情報ｉを移動させて表示パネル３２に表示させる（ステップＳ２２；図６参照）。
このとき、ＣＰＵ６１は、プログラムメモリ２６３から情報量特定プログラム６３ｃを読み出して実行し、移動される単純情報ｉの情報量を特定する情報量特定処理を実行し（ステップＳ２３）、続けて、プログラムメモリ２６３から表示判定プログラム６３ｄを読み出して実行し、単純情報ｉの情報量に基づいて移動後の表示位置にて単純情報ｉを一度に表示することができるか否かを判定する表示判定処理を実行する（ステップＳ２４）。
【００４７】
ここで、単純情報ｉを一度に表示することができないと判定されると（ステップＳ２４；ＮＯ）、ＣＰＵ６１は、プログラムメモリ２６３からスクロール表示プログラム６３ｅを読み出して実行し、表示パネル３２を制御して、単純情報ｉの移動後の表示位置にて当該単純情報ｉをスクロール表示する（ステップＳ２５）。
【００４８】
なお、ステップＳ２４にて、単純情報ｉを一度に表示することができると判定されると（ステップＳ２４；ＹＥＳ）、表示パネル３２は、被写体画像及び単純情報ｉの表示を継続する。
【００４９】
従って、変形例１の撮像装置２００によれば、表示画面３ａに表示される画像を縮小して、空いた領域を単純情報ｉの表示可能領域として、当該表示可能領域に単純情報ｉを移動させて表示させることができる。これにより、単純情報ｉを移動させても表示画像と重なった状態とならないため、単純情報ｉの移動により表示画像が見難くなるのを防止することができる。
【００５０】
また、単純情報ｉの移動位置にて、当該単純情報ｉの情報量に対して表示可能領域が狭く単純情報ｉを一度に表示することができない場合には、単純情報ｉをスクロール表示することができる。これにより、単純情報ｉのフォントを小さくする必要がなくなって当該単純情報ｉを好適に視認することができる。
【００５１】
なお、変形例１では、縮小表示処理を実行して、縮小画像の上側に空けられた単純情報ｉの表示可能領域にて単純情報ｉを一度に表示することができるか否かを判定するようにしたが、縮小表示処理を実行するか否かは適宜変更することができる。即ち、縮小表示処理を実行せずとも、情報量特定処理、表示判定処理及びスクロール表示処理を実行するようにしても良い。
【００５２】
また、上記実施形態では、移動表示処理を撮像モードにて所定の被写体を撮像する場合に実行するようにしたが、これに限られるものではなく、例えば、再生モードにて所定の画像を再生表示する場合に実行するようにしても良い。
【００５３】
さらに、上記実施形態では、単純情報ｉを表示画面３ａに表示される所定の画像に重畳して表示するようにしたが、画像を表示するか否かは適宜変更することができ、例えば、画像を表示していない状態で、撮像記録可能枚数、現時刻、バッテリー残量等の単純情報ｉを表示するようにしても良い。
【００５４】
また、上記実施形態では、画像表示装置として撮像装置１００（２００）を例示したが、これに限られるものではなく、少なくとも撮像画像や再生画像の表示手段を備える構成であれば如何なるものであっても良い。
さらに、撮像装置１００に一のタッチパネル４４を搭載して、操作手段及び接触位置検出手段として兼用するようにしたが、これに限られるものではなく、操作手段としてのタッチパネル及び接触位置検出手段としてのタッチパネルをそれぞれ個別に搭載するようにしても良い。
【００５５】
また、上記実施形態にあっては、撮像装置１００の所定位置に表示画面３ａとは別の第２の表示画面（図示略）を搭載して、当該第２の表示画面に操作者の手により隠れた状態となる単純情報ｉを表示させるようにしても良い。
【００５６】
加えて、上記実施形態では、移動表示制御手段、縮小表示制御手段、情報量特定手段、表示判定手段、スクロール表示制御手段としての機能を、ＣＰＵ６１によって、所定のプログラム等が実行されることにより実現される構成としたが、これに限られるものではなく、例えば、各種機能を実現するためのロジック回路等から構成しても良い。
【図面の簡単な説明】
【００５７】
【図１】本発明を適用した一実施形態の撮像装置の概略構成を示すブロック図である。
【図２】図１の撮像装置を示す背面図である。
【図３】図１の撮像装置による移動表示処理後の状態を模式的に示す背面図である。
【図４】図３の移動表示処理に係る動作の一例を示すフローチャートである。
【図５】変形例１の撮像装置の概略構成を示すブロック図である。
【図６】図５の撮像装置による移動表示処理後の状態を模式的に示す背面図である。
【図７】図６の移動表示処理に係る動作の一例を示すフローチャートである。
【符号の説明】
【００５８】
１００、２００  撮像装置（画像表示装置）
３      表示部
３ａ    表示画面
３２    表示パネル（画像表示手段、情報表示手段）
４４    タッチパネル（接触位置検出手段）
６１    ＣＰＵ（移動表示制御手段、縮小表示制御手段、情報量特定手段、表示判定手段、スクロール表示制御手段）
ｉ      単純情報（非動作実行指示情報）
【図１】
2008176448.tif 000003
【図２】
2008176448.tif 000004
【図３】
2008176448.tif 000005
【図４】
2008176448.tif 000006
【図５】
2008176448.tif 000007
【図６】
2008176448.tif 000008
【図７】
2008176448.tif 000009